(57)【要約】【課題】パソコンにより業務を実行した人が、ログオンした人と同一人であるかを判定可能にする。【解決手段】ログオン時、利用者が指紋入力装置１０に指を置いて、指紋データを入力し、これが登録指紋データと一致するとログオンとなる。その後、パソコン１を使用して作業し、これが終了すると利用者に対して指紋の入力を要求する。指紋データを入力すると、この指紋データとログオン時に入力した指紋データと照合し、認証結果がＯＫであればログ記録装置８に操作履歴を記録する。ＮＧであれば不正アクセス履歴を記録して警報を表示する。【選択図】      図１
2005085226.tif 000002
【特許請求の範囲】
【請求項１】
コンピュータへのログオン時、及び所定作業プログラムのログオン時に入力された利用者の指紋データを認証することにより、上記ログオンを可能とする認証装置において、ログ記録装置を設け、上記所定作業完了時に上記利用者に対して指紋を入力することを要求する指紋入力要求手段と、上記要求に応じて入力された指紋データと上記ログオン時に入力された指紋データとを照合認証する指紋認証手段と、上記指紋データの認証結果に対応する操作履歴を上記ログ記録装置に記録する操作ログ記録手段とを備えたことを特徴とするコンピュータの本人認証装置。
【請求項２】
指紋入力要求手段及び指紋認証手段の代わりに、ログオン時に入力された利用者の指紋データを、所定作業完了時まで継続して認証する指紋認証継続手段を設けたことを特徴とする請求項１記載のコンピュータの本人認証装置。
【請求項３】
ログ記録装置に記録された操作日時、操作者及び操作内容を抽出して、操作者別の作業回数又は延べ操作時間を集計して給料を計算する操作者別給料計算手段を設けたことを特徴とする請求項１又は請求項２記載のコンピュータの本人認証装置。
【発明の詳細な説明】
【技術分野】
【０００１】
この発明は、コンピュータ操作に際し、操作者を認証する装置に関するものである。
【背景技術】
【０００２】
従来の本人認証システムにおいては、キーボードと、キーボードと一体的に設けられた指紋センサと、利用者の指紋の情報を予め登録しておく指紋情報登録手段と、キーボードからの信号によるログオン時に指紋取得要求の表示をする表示手段と、指紋センサにより検出された指紋の情報と指紋情報登録手段に登録されている指紋の情報とを照合する指紋照合手段と、上記の各手段を制御する制御手段とを有し、制御手段は、ログオン時に指紋センサにより検出された指紋の情報が指紋情報登録手段に登録されている指紋の情報と一致すると指紋照合手段により判断された時にのみコンピュータへログオンするように制御する構成となっている（例えば、特許文献１参照）。
【０００３】
【特許文献１】特開平１１−１７５４７８号公報（段落０００５、図１，図３）
【発明の開示】
【発明が解決しようとする課題】
【０００４】
上記のような従来の本人認証システムでは、本人を特定する指紋認証がパーソナルコンピュータ（以下パソコンという）及びアプリケーションプログラム起動時にしか行われないため、その業務が真にパソコン・アプリケーションにログオンしている人によって行われたのかどうかを判断することができない。また、ログオンしているユーザが席を外した場合に、故意又は不注意によって他人が操作できてしまう（スクリーンセーバなどでロックをかけたとしても完全ではない。）という問題点がある。
【０００５】
この発明は上記問題点を解消するためになされたもので、業務を行った人がログオンした人と同一人であるかの判定ができるようにしたコンピュータの本人認証装置を提供することを目的とする。
【課題を解決するための手段】
【０００６】
この発明に係るコンピュータの本人認証装置は、所定作業完了時にコンピュータ利用者に対して指紋を入力することを要求し、この要求に応じて入力された指紋データと、ログオン時に入力された指紋データとを照合認証し、この認証結果に対応する操作履歴をログ記録装置に記録するようにしたものである。
【発明の効果】
【０００７】
この発明は、上記のように構成されているので、コンピュータで所定作業を実行した人がコンピュータをログオンした人と同一人であるかを判定することができる。
【発明を実施するための最良の形態】
【０００８】
実施の形態１．
図１及び図２は、この発明の第１発明の一実施の形態を示す図で、図１は全体構成図、図２は動作フローチャートである。
図１において、業務端末であるパソコン１は、ログオン手段２、指紋記憶手段３、データ入力手段４、指紋入力要求手段５、データ入力者判定手段６、操作ログ記録手段７、ログ記録装置８及び警報表示手段９を有している。また、パソコン１には指紋入力装置１０が接続されている。なお、表示器等は図示を省略している。
【０００９】
指紋入力装置１０は利用者の指紋データをログオン手段２へ送出し、指紋データは指紋記憶手段３に記憶される。データ入力手段４はデータ入力業務実行の際データを入力する。指紋入力要求手段５はデータ入力手段４による作業完了時に、利用者に指紋入力を要求する。データ入力者判定手段６は指紋入力装置１０によって読み取られた指紋画像から、データ入力手段４でデータを入力した人を判定する。操作ログ記録手段７はログ記録装置８にデータ入力者判定手段６で判定されたデータ入力手段４による作業が行われた日時、操作者及び操作内容を記録する。警報表示手段９はデータ入力者判定手段６が不正な人物にアクセスされたことを検出すると、これを表示する。
【００１０】
次に、この実施の形態の動作を図２を参照して説明する。
ステップＳ１でプログラムを起動し、ステップＳ２で表示器（図示しない）にログオン画面を表示する。利用者が指紋入力装置１０に指を置くと、指紋データが入力され、指紋記憶手段３に記憶される。そして、ステップＳ３であらかじめ登録された指紋データと照合されて、両者が一致するかが判定される。指紋認証結果がＮＧであれば処理は終了し、ＯＫであればステップＳ４へ進み、操作ログ記録手段７はその利用者をログ記録装置８に記録する。これで、ステップＳ５でログオンとなる。
【００１１】
次に、ステップＳ６でプログラムを実行し、データ編集等の作業を実行する。作業が終了すると、ステップＳ７へ進み、利用者に対して指紋入力装置１０に指紋を入力することを表示器に表示する。この表示に応じて指紋が入力されると、ステップＳ８へ進み、入力された指紋データと指紋記憶手段３に記憶してある指紋データと照合して、指紋認証が実施される。指紋認証結果がＯＫであれば、ステップＳ９で操作ログ記録手段７はその利用者の操作履歴（日時、操作者及び操作内容）をログ記録装置８に記録する。
【００１２】
そして、ステップＳ１０で編集作業が完了したかを判断し、完了していなければステップＳ６へ戻って編集作業を継続し、編集作業が完了すればステップＳ１１でログオフとなる。一方、ステップＳ８で指紋認証した結果がＮＧであれば、ステップＳ１２で不正アクセス履歴が記録され、ステップＳ１３で警報表示手段９は表示器の画面等に警報を表示する。ここで、ステップＳ７は指紋入力要求手段を、ステップＳ８は指紋認証手段を、Ｓ９，Ｓ１２は操作ログ記録手段を構成している。
【００１３】
このようにして、編集作業完了時に入力された指紋データと、ログオン時に入力された指紋データとを照合するようにしたため、その作業を実行した人がログオンした人と同一人であるかを判定することが可能となる。また、故意又は不注意によって、他人がそのパソコン１で作業を実行することを防止することが可能となる。
【００１４】
実施の形態２．
実施の形態１では、所定作業完了時に利用者に指紋入力を要求するものとしたが、実施の形態２では、ログオン時から所定作業完了時まで指紋入力を継続するように要求する指紋認証継続手段（図示しない）を設けたものである。このようにすれば、常時指紋認証が実施されるため、パソコン１の操作までだれが実行したかを判定することが可能となる。
【００１５】
実施の形態３．
図３はこの発明の第３発明の一実施の形態を示す全体構成図であり、図２は実施の形態３にも共用する。
図３は図１に操作者別給料計算装置１１を追加したものである。操作者別給料計算装置１１はログ記録装置８に接続され、重み賃金計算手段１２及び時間賃金計算手段１３を有している。
操作者別給料計算装置１１はログ記録装置８に記録された操作者ごとの作業時間及び操作内容を抽出して、次のように給料計算を実行する。
【００１６】
（１）重み賃金計算手段１２
作業回数×単価（操作内容、操作者等により異なる）を集計して給料計算する。
（２）時間賃金計算手段１３
作業時間帯（開始時刻−終了時刻）を計算して給料計算する。
【図面の簡単な説明】
【００１７】
【図１】この発明の実施の形態１を示す全体構成図。
【図２】この発明の実施の形態１を示す動作フローチャート。
【図３】この発明の実施の形態３を示す全体構成図。
【符号の説明】
【００１８】
１  パソコン、２  ログオン手段、３  指紋記憶手段、４  データ入力手段、５  指紋入力要求手段、６  データ入力者判定手段、７  操作ログ記録手段、８  ログ記録装置、９  警報表示手段、１０  指紋入力装置、１１  操作者別給料計算装置。
Ｓ７  指紋入力要求手段、Ｓ８  指紋認証手段、Ｓ９，Ｓ１２  操作ログ記録手段。
【図１】
2005085226.tif 000003
【図２】
2005085226.tif 000004
【図３】
2005085226.tif 000005